(57)【特許請求の範囲】
【請求項１】
人体の口を覆う本体部と、
前記本体部の状態を第１状態および第２状態との間において切り替え可能な切替構造と、を備え、
前記第１状態は、前記本体部のうちの前記口を覆う部分よりも下方の下方部分と前記人体とが離間可能であり、
前記第２状態は、前記下方部分が前記人体のうちの顔のうちの口より下方または首と接触して前記第１状態よりも前記口と前記本体部との間の空間と外部との空気の流通を抑制可能であり、
前記第１状態において、前記本体部の下端は、前記第２状態における下端よりも下方に位置可能に構成され、
前記第２状態において、前記本体部は、前記下方部分が顔の下縁から首に向かって曲がっている形状になるように構成される、
マスク。
【請求項２】
前記切替構造は、前記第２状態を維持可能に構成される保持構造を備える、
請求項１に記載のマスク。
【請求項３】
前記第２状態は、複数の第２状態を備え、
前記保持構造は、前記複数の第２状態において、前記第２状態を維持可能に構成される、
請求項２に記載のマスク。
【請求項４】
前記本体部は、第１部分、および、前記第１部分よりも上方または前記第１部分よりも幅方向の中心部から遠い第２部分を備え、
前記保持構造は、前記第１部分および前記第２部分の相対移動を規制することによって前記第２状態を維持する、
請求項２または３に記載のマスク。
【請求項５】
前記保持構造は、前記第１部分に設けられる第１係合部と、前記第２部分に設けられ、前記第１係合部と係合可能な第２係合部と、を備える、
請求項４に記載のマスク。
【請求項６】
前記第１係合部および前記第２係合部の少なくとも１つは、ボタン、フック、および、面ファスナの少なくとも１つを含む、請求項５に記載のマスク。
【請求項７】
前記保持構造は、前記本体部の前記第２状態において、人体または人体に取り付けられる部材に取り付け可能な取付部を備える、
請求項２から４のいずれか一項に記載のマスク。
【請求項８】
前記保持構造は、前記本体部のうちの人体の顎と対応する部分よりも下方を伸縮させる伸縮構造を備える、
請求項２から４のいずれか一項に記載のマスク。
【請求項９】
前記伸縮構造は、前記本体部に設けられる紐部材と、前記紐部材の前記本体部に対する相対移動を規制する規制部と、を備える、
請求項８に記載のマスク。
【発明の詳細な説明】
【技術分野】
【０００１】
本発明は、マスクに関する。
【背景技術】
【０００２】
例えば、特許文献１に開示されているマスクは、ユーザの口を覆う本体部を備える。本体部は、装着者が息がしやすいように、下縁部がユーザに対して移動できるようになっている。
【先行技術文献】
【特許文献】
【０００３】
【特許文献１】特開２０１７−７５４１１号公報
【発明の概要】
【発明が解決しようとする課題】
【０００４】
上記特許文献のマスクは、ユーザの口と本体部との間の空気が外部と流通しやすい。このため、ユーザの口と本体部との間の空気の外部との流通を抑制したい場合には用いることができず、使い勝手に改善の余地がある。
【課題を解決するための手段】
【０００５】
本発明に従うマスクの一形態は、人体の口を覆う本体部と、前記本体部の状態を第１状態および第２状態との間において切り替え可能な切替構造と、を備え、前記第１状態は、前記本体部のうちの前記口を覆う部分よりも下方の下方部分と前記人体とが離間可能であり、前記第２状態は、前記下方部分が前記人体のうちの顔のうちの口より下方または首と接触して前記第１状態よりも前記口と前記本体部との間の空間と外部との空気の流通を抑制可能である。
【０００６】
上記マスクによれば、第１状態と第２状態とを切り替えられるため、使い勝手がよい。
【発明の効果】
【０００７】
本発明のマスクは、使い勝手がよい。
【図面の簡単な説明】
【０００８】
【図１】第１実施形態のマスクの正面図。
【図２】図１のマスクの背面図。
【図３】図１のマスクの本体部が第１状態の場合の正面図。
【図４】図１のマスクの本体部が第１状態の場合の側面図。
【図５】図１のマスクの本体部が第２状態の場合の正面図。
【図６】図１のマスクの本体部が第２状態の場合の側面図。
【図７】第２実施形態のマスクの正面図。
【図８】図７のマスクの本体部が第２状態の場合の斜視図。
【図９】第３実施形態のマスクの正面図。
【図１０】図９のマスクの本体部が第１状態の場合の側面図。
【図１１】図９のマスクの本体部が第２状態の場合の側面図。
【図１２】第４実施形態のマスクの正面図。
【図１３】図１２のマスクの本体部が第１状態の場合の側面図。
【図１４】図１２のマスクの本体部が第２状態の場合の側面図。
【図１５】変形例のマスクの正面図。
【図１６】図１５のマスクの本体部が第１状態の場合の側面図。
【図１７】図１５のマスクの本体部が第２状態の場合の側面図。
【発明を実施するための形態】
【０００９】
＜第１実施形態＞
図１から図７を参照して、第１実施形態のマスク１０について説明する。
図１および図２に示されるように、マスク１０は、第１面１１および第２面１２を有する。第１面１１は、マスク１０をユーザが装着した場合の表面と対応する。第２面１２は、マスク１０をユーザが装着した場合のユーザの顔と対向する面と対応する。
【００１０】
マスク１０は、本体部２０を備える。
本体部２０は、人体の口を覆う。好ましくは、本体部２０は、可撓性を有する材料によって形成される。好ましくは、本体部２０は、生地によって構成される。本体部２０は、布によって構成されてもよく、不織布によって構成されていてもよく、樹脂材料によって構成されていてもよい。本体部２０は、マスクを装着したユーザが呼吸可能、かつ、ユーザの口や鼻から飛沫の飛散することを抑制可能、または、ユーザが外部の飛沫を吸引することを抑制可能であれば、適宜材料を変更できる。なお、ユーザの口や鼻から飛沫の飛散することの抑制度合い、および、ユーザが外部の飛沫を吸引することの抑制度合いについては、医療用マスクと同水準である必要はない。本体部２０は、ユーザがマスク１０を装着した場合の左側部分と右側部分とを別体に形成し、左側部分と右側部分とを接続することによって、構成されていてもよい。
【００１１】
本体部２０は、上縁部２１、第１側縁部２２、第２側縁部２３、および、下縁部２４を備える。第１側縁部２２は、上縁部２１の第１端部２１Ａと、下縁部２４の第１端部２４Ａと、を接続する。第２側縁部２３は、上縁部２１の第２端部２１Ｂと、下縁部２４の第２端部２４Ｂと、を接続する。下縁部２４は、第１端部２４Ａから本体部２０の幅方向の中央部２４Ｃに向かうにつれて、下方に向かうように湾曲して傾斜する。下縁部２４は、第２端部２４Ｂから本体部２０の幅方向の中央部２４Ｃに向かうにつれて、下方に向かうように湾曲して傾斜する。
【００１２】
図３から図６に示されるように、上縁部２１は、ユーザがマスク１０を装着した状態において、鼻の穴よりも上方かつ目よりも下に位置する。第１側縁部２２は、ユーザがマスク１０を装着した状態において、右の耳よりも顔の前方に位置する。第２側縁部２３は、ユーザがマスク１０を装着した状態において、左の耳よりも顔の前方に位置する。
【００１３】
本体部２０のうちの下縁部２４の中央部２４Ｃを含む部分の高さ方向の長さＬは、一般的なユーザの目の下から顎までの長さよりも長い。好ましくは、長さＬは、本体部２０をユーザの顔に沿わせるように配置した場合（例えば、図６および第２実施形態の図８等に示す第２状態の場合）、一般的なユーザの目の下から顎よりも下方を覆える長さである。長さＬは、一般的なユーザの目の下から首の下端部までの長さよりも短くてもよく、長くてもよい。好ましくは、下縁部２４の全体は、一般的なユーザの顔の下縁よりも下方に位置できるように構成される。顔の下縁は、例えば、ユーザの顔を正面および側面から見た場合の顎のラインに相当する。
【００１４】
好ましくは、マスク１０は、一対の耳掛け部３０をさらに備える。一対の耳掛け部３０の一方は、上縁部２１の第１端部２１Ａと、下縁部２４の第１端部２４Ａとを接続する。一対の耳掛け部３０の他方は、上縁部２１の第２端部２１Ｂと、下縁部２４の第２端部２４Ｂとを接続する。一対の耳掛け部３０のそれぞれは、紐部材３１によって構成される。各耳掛け部３０は、伸縮性を有する材料によって形成されてもよい。各耳掛け部３０は、耳掛け部３０の長さを調整するストラップ等を備えていてもよい。一対の耳掛け部３０は、図１から図６に示すように、本体部２０と別体に構成されて、本体部２０に取り付けられてもよく、第２実施形態の図７および図８に示すように、本体部２０と一体に形成されてもよい。
【００１５】
マスク１０は、切替構造４０を備える。切替構造４０は、本体部２０の状態を第１状態および第２状態との間において切り替え可能である。第１状態は、本体部２０のうちの口を覆う部分よりも下方の下方部分２０Ａと人体とが離間可能である。第２状態は、下方部分が人体のうちの顔のうちの口より下方または首と接触して第１状態よりも口と本体部２０との間の空間と外部との空気の流通を抑制可能である。好ましくは、第２状態において、下縁部２４の少なくとも一部は、第１状態の場合よりも、人体の上方に位置することが好ましい。好ましくは、第２状態において、下方部分２０Ａが顔の下縁から首に向かって曲がることによって、下縁部２４の少なくとも一部は、第１状態の場合よりも、人体の後方に位置することが好ましい。好ましくは、第２状態において、下縁部２４の少なくとも一部は、顎と首との接続部に沿うように配置される。好ましくは、第２状態において、本体部２０が折り畳まれるまたは折り重なることによって、本体部２０の正面側から見た場合の第１面１１の面積は、第１状態の場合よりも小さくなる。第２状態のマスク１０は、いわゆるマスクと同様の機能を有する。好ましくは、本体部２０の下方部分２０Ａは、ユーザの首の少なくとも一部を覆うように構成される。この場合、下方部分２０Ａは、ユーザの首の少なくとも一部を紫外線等から保護できる。
【００１６】
長さＬを一般的なユーザの目の下から顎よりも下方を覆える長さにすることによって、第２状態において、口と本体部２０との間の空間と外部との空気の流通を好適に抑制できる。長さＬを一般的なユーザの目の下から首の下端部までの長さよりも短くすることによって、第２状態において、本体部２０の下方部分２０Ａが喉を圧迫し、ユーザが違和感を覚えることを抑制できる。
【００１７】
好ましくは、切替構造４０は、第２状態を維持可能に構成される保持構造５０を備える。本体部２０は、第１部分２５、および、第１部分２５よりも上方または第１部分２５よりも幅方向の中心部から遠い第２部分２６を備える。本実施形態の第２部分２６は、第１部分２５よりも上方、かつ、第１部分２５よりも幅方向の中心部から遠い。第２部分２６は、第１部分２５よりも上方、かつ、幅方向において第１部分２５と同じ位置にあってもよい。第２部分２６は、第１部分２５と高さ方向において同じ位置、かつ、第１部分２５よりも幅方向の中心部から遠い位置にあってもよい。保持構造５０は、第１部分２５および第２部分２６の相対移動を規制することによって第２状態を維持する。第１部分２５は、例えば、下縁部２４と隣り合う部分に設けられる。第２部分２６は、例えば、下縁部２４と隣り合う部分に設けられる。
【００１８】
本実施形態では、保持構造５０は、第１部分２５に設けられる第１係合部５１と、第２部分２６に設けられ、第１係合部５１と係合可能な第２係合部５２と、を備える。第１係合部５１と第２係合部５２とは、互いに着脱可能に設けられる。好ましくは、第１係合部５１および第２係合部５２は、ユーザが簡単に係合および係合の解除ができる構造を有する。好ましくは、第１係合部５１および第２係合部５２は、ユーザが片手で係合および係合の解除ができる構造を有する。好ましくは、第１係合部５１および第２係合部５２は、ユーザがマスク１０を装着した状態で係合および係合の解除ができる構造を有する。
【００１９】
例えば、第１係合部５１および第２係合部５２の少なくとも１つは、ボタン、フック、および、面ファスナの少なくとも１つを含む。例えば、図１から図６に示されるように、第１係合部５１は、第１ボタン５１Ａを含み、第２係合部５２は、第２ボタン５２Ａを含む。第１ボタン５１Ａおよび第２ボタン５２Ａの一方は、凸部を含み、第１ボタン５１Ａおよび第２ボタン５２Ａの他方は、凹部を含む。第１ボタン５１Ａおよび第２ボタン５２Ａは、例えば、スナップボタンである。第１係合部５１および第２係合部５２は、マグネットフック、ドットボタン、または、プラスチックブロック等を含んでいてもよい。
【００２０】
第１ボタン５１Ａおよび第２ボタン５２Ａの一方は、本体部２０の第１面１１に設けられる。第１ボタン５１Ａおよび第２ボタン５２Ａの他方は、本体部２０の第２面１２に設けられる。本実施形態の第１ボタン５１Ａは、第２面１２に設けられ、第２ボタン５２Ａは、第１面１１に設けられる。第１ボタン５１Ａおよび第２ボタン５２Ａがそれぞれ異なる面に設けられる場合、第２状態において、本体部２０を折り畳んだ状態に形成しやすい。
【００２１】
第１係合部５１および第２係合部５２は、マスク１０の右側部分と左側部分のそれぞれに設けられる。第１ボタン５１Ａおよび第２ボタン５２Ａは、マスク１０の右側部分と左側部分のそれぞれに設けられる。好ましくは、右側部分の第１ボタン５１Ａおよび第２ボタン５２Ａと、左側部分の第１ボタン５１Ａおよび第２ボタン５２Ａとは、マスク１０の左右の中心線に対して実質的に対称になるように本体部２０に設けられる。第１ボタン５１Ａは、例えば、下縁部２４のうちの第１端部２４Ａと中央部２４Ｃとの間付近、および、下縁部２４のうちの第２端部２４Ｂと中央部２４Ｃとの間付近、に設けられる。第２ボタン５２Ａは、例えば、下縁部２４の第１端部２４Ａ付近、および、下縁部２４の第２端部２４Ｂ付近に設けられる。
【００２２】
第１係合部５１および第２係合部５２の一方は、ボタンを含み、第１係合部５１および第２係合部５２の他方は、本体部２０に設けられるボタンホールを含んでいてもよい。第１係合部５１および第２係合部５２の一方は、フックを含み、第１係合部５１および第２係合部５２の他方は、本体部２０に設けられるフック係合部を含んでいてもよい。
【００２３】
好ましくは、第２状態は、複数の第２状態を備える。保持構造５０は、複数の第２状態において、第２状態を維持可能に構成される。例えば、保持構造５０は、複数の第１部分２５を備える。また例えば、保持構造５０は、複数の第２部分２６を備える。図１から図６に示すマスク１０の保持構造５０は、複数の第１部分２５を備える。保持構造５０は、複数の第１部分２５の第１係合部５１のうちの、第２係合部５２と係合する第１係合部５１を変更することによって、複数の第２状態のうちの１つの第２状態を維持できる。
【００２４】
図３および図４に示されるように、第１状態において、第１係合部５１は、第２係合部５２に係合しないため、第１部分２５は、第２部分２６に対して移動できる。第１状態において、本体部２０の下方部分２０Ａは、顎よりも下方において人体に対して移動が容易である。このため、本体部２０と口との間の空間が外部に対して開放されやすい。
【００２５】
図５および図６に示されるように、第２状態において、第１係合部５１は、第２係合部５２に係合するため、第１部分２５の第２部分２６に対する移動が規制される。また、第２状態において、本体部２０の下方部分２０Ａが顎を覆うように配置される。第２状態において、本体部２０の下方部分２０Ａが顎下に沿うように下方部分２０Ａよりも上方部分に対して屈曲する。このため、下縁部２４が顎下および首の少なくとも１つと接触または近接するようになる。したがって、本体部２０と口との間の空間が外部に対して開放されにくい。
【００２６】
第１実施形態のマスク１０の作用および効果について説明する。
（１−１）マスク１０は、本体部２０のうちの口を覆う部分よりも下方の下方部分２０Ａと人体とが離間可能な第１状態と、下方部分２０Ａが人体のうちの顔のうちの口より下方または首と接触して第１状態よりも口と本体部２０との間の空間と外部との空気の流通を抑制可能な第２状態とを切り替えできる。このため、例えば、ユーザがマスク１０をマスクとして使用したい場合には第２状態に切り替え、呼吸をしやすくしたい場合には第１状態に切り替えることができる。
【００２７】
（１−２）切替構造４０は、第２状態を維持可能に構成される保持構造５０を備えるため、第２状態に切り替えた場合に、ユーザが体を動かしたりする場合等のユーザが意図しない状況において第１状態に切り替わりにくい。
【００２８】
（１−３）第２状態は、複数の第２状態を備え、保持構造５０は、複数の第２状態において、第２状態を維持可能に構成されるため、例えば、顔の大きさの異なる複数のユーザがマスク１０を好適に使用できる。
【００２９】
（１−４）保持構造５０は、第１部分２５および第２部分２６の相対移動を規制することによって第２状態を維持するため、例えば、ユーザの体を用いずに第２状態を維持できる。例えば、ユーザの耳等を用いて第２状態を保持する場合、ユーザの体の形状によって使い勝手が異なるおそれがある。保持構造５０によれば、ユーザによって使い勝手が異なりにくい。
【００３０】
（１−５）保持構造５０は、第１部分２５に設けられる第１係合部５１と、第２部分２６に設けられ、第１係合部５１と係合可能な第２係合部５２と、を備える。このため、第１係合部５１と第２係合部５２とを係合させることによって、簡単に第１状態から第２状態に変更できる。また、第１係合部５１と第２係合部５２との係合を解除することによって、簡単に第１状態から第２状態に変更できる。
【００３１】
（１−６）第１係合部５１および第２係合部５２の少なくとも１つは、ボタン、フック、および、面ファスナの少なくとも１つを含むため、ユーザが簡単に係合および係合の解除を行える。
【００３２】
＜第２実施形態＞
図７および図８を参照して、第２実施形態のマスク１０について説明する。第２実施形態のマスク１０は、保持構造５０の構成が異なる点以外は第１実施形態のマスク１０と同様である。このため、第２実施形態のマスク１０のうちの、第１実施形態と共通する構成については、第１実施形態と同一の符号を付し、重複する説明を省略する。
【００３３】
本実施形態の保持構造５０の第１ボタン５１Ａおよび第２ボタン５２Ａの両方は、本体部２０の第１面１１および第２面１２の一方に設けられる。好ましくは、第１ボタン５１Ａおよび第２ボタン５２Ａの両方は、本体部２０の第１面１１に設けられる。第１ボタン５１Ａおよび第２ボタン５２Ａの両方は、本体部２０の第２面１２に設けられてもよい。
【００３４】
好ましくは、右側部分の第１ボタン５１Ａおよび第２ボタン５２Ａと、左側部分の第１ボタン５１Ａおよび第２ボタン５２Ａとは、マスク１０の左右の中心線に対して実質的に対称になるように本体部２０に設けられる。図７における右側の第１ボタン５１Ａは、例えば、本体部２０の右側部分のうちの下縁部２４の中央部２４Ｃ付近に設けられる。図７における右側の第２ボタン５２Ａは、例えば、下縁部２４のうちの第１ボタン５１Ａよりも第２端部２４Ｂに近い位置設けられる。図７における右側の第２ボタン５２Ａは、例えば、下縁部２４のうちの中央部２４Ｃと第２端部２４Ｂとの中間部分付近に設けられる。図７における左側の第１ボタン５１Ａは、例えば、本体部２０の左側部分のうちの下縁部２４の中央部２４Ｃ付近に設けられる。図７における左側の第２ボタン５２Ａは、例えば、下縁部２４のうちの第１ボタン５１Ａよりも第１端部２４Ａに近い位置設けられる。図７における左側の第２ボタン５２Ａは、例えば、下縁部２４のうちの中央部２４Ｃと第１端部２４Ａとの中間部分付近に設けられる。
【００３５】
図８に示されるように、第２状態において、第１係合部５１は、第２係合部５２に係合するため、第１部分２５の第２部分２６に対する移動が規制される。また、第２状態において、本体部２０の下方部分２０Ａが顎を覆うように配置される。第２状態において、本体部２０の下方部分２０Ａが顎下に沿うように下方部分２０Ａよりも上方部分に対して屈曲する。このため、下縁部２４が顎下および首の少なくとも１つと接触または近接するようになる。したがって、本体部２０と口との間の空間が外部に対して開放されにくい。
【００３６】
第２実施形態のマスク１０の作用および効果について説明する。第２実施形態のマスク１０は、第１実施形態のマスク１０の（１−１）から（１−６）と同様の効果に加えて、以下の作用および効果を奏する。
【００３７】
（２−１）保持構造５０の第１ボタン５１Ａは、下縁部２４の中央部２４Ｃ付近に設けられる。第２ボタン５２Ａは、下縁部２４のうちの中央部２４Ｃと、第１端部２４Ａまたは第２端部２４Ｂとの中間部分付近に設けられる。このため、第１ボタン５１Ａと第２ボタン５２Ａとを近い位置に配置できるため、長さＬを一般的なユーザの目の下から首の下端部までの長さよりも短くしやすい。
【００３８】
＜第３実施形態＞
図９から図１１を参照して、第３実施形態のマスク１０について説明する。第３実施形態のマスク１０は、保持構造５０に代えて保持構造６０を備える点以外は第１実施形態のマスク１０と同様である。このため、第３実施形態のマスク１０のうちの、第１実施形態と共通する構成については、第１実施形態と同一の符号を付し、重複する説明を省略する。
【００３９】
本実施形態のマスク１０の切替構造４０は、保持構造６０を備える。保持構造６０は、本体部２０の第２状態において、人体または人体に取り付けられる部材に取り付け可能な取付部６１を備える。人体は、例えば、耳、頭、首、および、髪が挙げられる。人体に取り付けられる部材は、例えば、髪留め等が挙げられる。人体に取り付けられる部材は、一対の耳掛け部３０等のためのアタッチメントであってもよい。
【００４０】
本実施形態では、取付部６１は、人体に耳に取り付け可能に構成され、一対の追加耳掛け部６１Ａを含む。一対の追加耳掛け部６１Ａの一方は、下縁部２４の第１端部２４Ａと、下縁部２４の中央部２４Ｃとの間に取り付けられる。一対の追加耳掛け部６１Ａの他方は、下縁部２４の第２端部２４Ｂと、下縁部２４の中央部２４Ｃとの間に取り付けられる。一対の追加耳掛け部６１Ａのそれぞれは、紐部材によって構成される。各追加耳掛け部６１Ａは、伸縮性を有する材料によって形成されてもよい。各追加耳掛け部６１Ａは、追加耳掛け部６１Ａの長さを調整するストラップ等の調整部を備えていてもよい。
【００４１】
取付部６１が取り付けられる人体が、例えば、頭または首を含む場合、取付部６１は、例えば、下縁部２４の第１端部２４Ａと下縁部２４の中央部２４Ｃとの間の部分に接続される第１紐部材、および、下縁部２４の第２端部２４Ｂと下縁部２４の中央部２４Ｃとの間の部分とを接続する第２紐部材を含んでいてもよい。この場合、第１紐部材と第２紐部材とが、人体の背面で結合されることによって、第２状態が維持される。取付部６１が第１紐部材および第２紐部材を含む場合、第２状態において、本体部２０の下縁部２４の少なくとも一部が顎と首との接続部に沿うように配置されるよう取付部６１が構成されることが好ましい。
【００４２】
図１０に示されるように、第１状態において、一対の追加耳掛け部６１Ａは、人体の耳に取り付けられていないため、本体部２０の下方部分２０Ａは、顎よりも下方において人体に対して移動が容易である。このため、本体部２０と口との間の空間が外部に対して開放されやすい。
【００４３】
図１１に示されるように、第２状態において、一対の追加耳掛け部６１Ａは、人体の耳に取り付けられるため、第２状態において、本体部２０の下方部分２０Ａが顎を覆うように配置される。第２状態において、本体部２０の下方部分２０Ａが顎下に沿うように下方部分２０Ａよりも上方部分に対して屈曲する。このため、下縁部２４が顎下および首の少なくとも１つと接触または近接するようになる。したがって、本体部２０と口との間の空間が外部に対して開放されにくい。
【００４４】
一対の追加耳掛け部６１Ａが伸縮性を有する材料によって形成される場合、または、一対の追加耳掛け部６１Ａが追加耳掛け部６１Ａの長さを調整する調整部を備える場合、顔の大きさの異なる複数のユーザがマスク１０を好適に使用できる。
【００４５】
第３実施形態のマスク１０の作用および効果について説明する。第３実施形態のマスク１０は、第１実施形態のマスク１０の（１−１）および（１−２）と同様の効果に加えて、以下の作用および効果を奏する。
【００４６】
（３−１）
保持構造６０は、本体部２０の第２状態において、人体または人体に取り付けられる部材に取り付け可能な取付部６１を備える。このため、取付部６１を人体に取り付けることによって第２状態を保持できる。また、取付部６１を人体に取り付けることによって簡単に第１状態から第２状態に変更できる。また、取付部６１を人体から取り外すことによって簡単に第２状態から第１状態に変更できる。
【００４７】
＜第４実施形態＞
図１２から図１４を参照して、第４実施形態のマスク１０について説明する。第４実施形態のマスク１０は、保持構造５０に代えて保持構造７０を備える点以外は第１実施形態のマスク１０と同様である。このため、第４実施形態のマスク１０のうちの、第１実施形態と共通する構成については、第１実施形態と同一の符号を付し、重複する説明を省略する。
【００４８】
本実施形態のマスク１０の切替構造４０は、保持構造７０を有する。保持構造７０は、本体部２０のうちの人体の顎と対応する部分よりも下方を伸縮させる伸縮構造７１を備える。伸縮構造７１は、本体部２０に設けられる紐部材７２と、紐部材７２の本体部２０に対する相対移動を規制する規制部７３と、を備える。
【００４９】
規制部７３は、例えば、コードストッパである。規制部７３は、紐部材７２の中間部分に設けられる。規制部７３を操作することによって、紐部材７２と規制部７３との相対移動が可能になる。規制部７３を操作しない場合、紐部材７２と規制部７３との相対移動が規制される。
【００５０】
伸縮構造７１は、本体部２０の下縁部２４に沿って設けられる袋部７４をさらに備える。袋部７４は、例えば、本体部２０を構成する生地を折り返し、縫着または接着することによって形成される。好ましくは、袋部７４は、下縁部２４の第１端部２４Ａから第２端部２４Ｂまでにわたって設けられる。紐部材７２の少なくとも一部は、袋部７４に配置される。紐部材７２は、袋部７４の内部において、一部が本体部２０に固定されていてもよい。紐部材７２が袋部７４の内部において、一部が本体部２０に固定される場合、紐部材７２は、袋部７４の一方から露出する部分と、袋部７４の他方から露出する部分とが別の紐部材７２であってもよい。
【００５１】
好ましくは、紐部材７２は、一対の耳掛け部３０の一部を構成する。一対の耳掛け部３０の一方は、下縁部２４の第１端部２４Ａに接続されず、かつ、中間部が規制部７３に取り付けられる。一対の耳掛け部３０の他方は、下縁部２４の第２端部２４Ｂに接続されず、かつ、中間部が規制部７３に取り付けられる。一対の耳掛け部３０の一方は、紐部材３１のうちの上縁部２１の第１端部２１Ａと接続される部分から規制部７３までの部分と、紐部材７２のうちの袋部７４から露出し、かつ、規制部７３までの部分によって構成される。一対の耳掛け部３０の他方は、紐部材３１のうちの上縁部２１の第２端部２１Ｂと接続される部分から規制部７３までの部分と、紐部材７２のうちの袋部７４から露出し、かつ、規制部７３までの部分によって構成される。
【００５２】
本実施形態において、第２状態は、複数の第２状態を備え、保持構造７０は、複数の第２状態において、第２状態を維持可能に構成される。複数の第２状態は、紐部材７２のうちの袋部７４の内部に配置される長さに応じて形成される。
【００５３】
図１３に示されるように、第１状態において、紐部材７２は、所定の長さ以上が袋部７４の内部に配置されるため、本体部２０の下方部分２０Ａは、顎よりも下方において人体に対して移動が容易である。このため、本体部２０と口との間の空間が外部に対して開放されやすい。
【００５４】
図１４に示されるように、第２状態において、紐部材７２は、所定の長さ未満が袋部７４の内部に配置されるため、第２状態において、本体部２０の下方部分２０Ａが顎を覆うように配置される。第２状態において、本体部２０の袋部７４と対応する部分が顎下に沿うように下方部分２０Ａよりも上方部分に対して収縮する。このため、下縁部２４が顎下および首の少なくとも１つと接触または近接するようになる。したがって、本体部２０と口との間の空間が外部に対して開放されにくい。
【００５５】
第４実施形態のマスク１０の作用および効果について説明する。第４実施形態のマスク１０は、第１実施形態のマスク１０の（１−１）、（１−２）、および、（１−３）と同様の効果に加えて、以下の作用および効果を奏する。
【００５６】
（４−１）保持構造７０は、本体部２０のうちの人体の顎と対応する部分よりも下方を伸縮させる伸縮構造７１を備える。このため、本体部２０のうちの人体の顎と対応する部分よりも下方を縮める状態に維持することによって、第２状態を維持できる。また、本体部２０のうちの人体の顎と対応する部分よりも下方を縮めることによって、第１状態から第２状態に簡単に変更できる。また、本体部２０のうちの人体の顎と対応する部分よりも下方を伸ばすことによって、第２状態から第１状態に簡単に変更できる。
【００５７】
（４−２）伸縮構造７１は、本体部２０に設けられる紐部材７２と、紐部材７２の本体部２０に対する相対移動を規制する規制部７３と、を備えるため、規制部７３によって紐部材７２の移動を規制することによって、第２状態を好適に維持できる。
【００５８】
＜変形例＞
実施形態に関する説明は、本発明に従うマスクが取り得る形態の例示であり、その形態を制限することを意図していない。本発明に従うマスクは、例えば以下に示される実施形態の変形例、および、相互に矛盾しない少なくとも２つの変形例が組み合わせられた形態を取り得る。以下の変形例において、実施形態の形態と共通する部分については、実施形態と同一の符号を付してその説明を省略する。
【００５９】
・図１５から図１７に示すように、切替構造４０は、本体部２０の一部によって構成されていてもよい。例えば、切替構造４０は、本体部２０の下方部分２０Ａに設けられる第１切替部８１および第２切替部８２と、第１側縁部２２および第２側縁部２３とを含む。第１切替部８１は、本体部２０を折り畳むことによって、第１側縁部２２とユーザの顔との間に挟み込めるような形状を有する。第２切替部８２は、本体部２０を折り畳むことによって、第２側縁部２３とユーザの顔との間に挟み込めるような形状を有する。
【００６０】
・図１５から図１７に示す変形例において、第１側縁部２２および第２側縁部２３を他の部分よりも厚くして保持構造を構成してもよい。第１側縁部２２および第２側縁部２３を厚くすることによって、第２状態が維持されやすくなる。
【００６１】
・図１５から図１７に示す変形例において、第１切替部８１および第２切替部８２と、第１側縁部２２および第２側縁部２３と、に、摩擦部を設けて、第１切替部８１および第２切替部８２と、第１側縁部２２および第２側縁部２３との移動を規制するようにしてもよい。摩擦部は、例えば、ゴム材料を含む。摩擦部は、保持構造を構成する。
【００６２】
・第３実施形態において、取付部６１を複数設けてもよい。この場合、第２状態は、複数の第２状態を備え、保持構造６０は、複数の第２状態において、第２状態を維持可能に構成される。
【００６３】
・第４実施形態において、規制部７３を省略してもよい。この場合、紐部材３１と紐部材７２とを直接接続するようにしてもよい。例えば、紐部材３１と紐部材７２とを結ぶことによって接続し、紐部材７２の結ぶ位置に応じて、第１状態と第２状態とが切り替えられる。
【符号の説明】
【００６４】
１０…マスク、２０…本体部、２０Ａ…下方部分、２５…第１部分、２６…第２部分、４０…切替構造、５０…保持構造、５１…第１係合部、５１Ａ…第１ボタン、５２…第２係合部、５２Ａ…第２ボタン、６０…保持構造、６１…取付部、７０…保持構造、７１…伸縮構造、７２…紐部材、７３…規制部。
【要約】
【課題】使い勝手がよいマスクを提供する。
【解決手段】マスク１０は、人体の口を覆う本体部２０と、本体部２０の状態を第１状態および第２状態との間において切り替え可能な切替構造４０と、を備える。第１状態は、本体部２０のうちの口を覆う部分よりも下方の下方部分２０Ａと前記人体とが離間可能である。第２状態は、下方部分が人体のうちの顔のうちの口より下方または首と接触して第１状態よりも口と本体部との間の空間と外部との空気の流通を抑制可能である。
【選択図】図４【図１】
0006837176.tif 000002
【図２】
0006837176.tif 000003
【図３】
0006837176.tif 000004
【図４】
0006837176.tif 000005
【図５】
0006837176.tif 000006
【図６】
0006837176.tif 000007
【図７】
0006837176.tif 000008
【図８】
0006837176.tif 000009
【図９】
0006837176.tif 000010
【図１０】
0006837176.tif 000011
【図１１】
0006837176.tif 000012
【図１２】
0006837176.tif 000013
【図１３】
0006837176.tif 000014
【図１４】
0006837176.tif 000015
【図１５】
0006837176.tif 000016
【図１６】
0006837176.tif 000017
【図１７】
0006837176.tif 000018